(57)【要約】  本発明はハンドオーバ処理方法、ネットワーク装置、端末装置及びコンピュータ記憶媒体を開示し、方法は、第１システムネットワーク又は第１コアネットワークにある第１ネットワーク装置と端末装置が接続されている場合、前記第１ネットワーク装置が前記端末装置のためにターゲットシステムネットワーク又はターゲットコアネットワークとの候補接続を確立することを含み、前記候補接続は、端末装置が予め定められた条件を満たす場合、ターゲットシステムネットワーク又はターゲットコアネットワークにハンドオーバするときに使用される。
2021516468.tif 000002
【特許請求の範囲】
【請求項１】
ハンドオーバ処理方法であって、第１ネットワーク装置に適用され、
第１システムネットワーク又は第１コアネットワークにある第１ネットワーク装置と端末装置が接続されている場合、前記第１ネットワーク装置が前記端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される、ハンドオーバ処理方法。
【請求項２】
前記第１ネットワーク装置が前記端末装置のためにターゲットシステムネットワーク又はターゲットコアネットワークとの候補接続を確立し、前記方法は、
前記端末装置のリンク品質、前記端末装置の属性情報、前記端末装置のサービス情報、ネットワークスライス情報、前記端末装置のモビリティ情報のうちの少なくとも１つの条件に基づいて、前記端末装置のためにターゲットシステムネットワーク又はターゲットコアネットワークとの候補接続を確立するか否かを判定することを含む、請求項１に記載の方法。
【請求項３】
前記端末装置のリンク品質が予め定められた閾値を満たすか否かを判定することと、
前記端末装置のリンク品質が予め定められた閾値を満たす場合、前記端末装置のためにターゲットシステムネットワーク又はターゲットコアネットワークとの候補接続を確立することを決定することと、を更に含む請求項２に記載の方法。
【請求項４】
前記方法は、
前記端末装置の属性情報に基づいて、前記端末装置が候補接続を確立可能な端末装置であることを決定した場合、前記端末装置のために前記ターゲットシステムネットワーク又はターゲットコアネットワークとの候補接続を確立することを更に含み、
前記端末装置の属性情報は、端末の優先度情報、端末タイプ情報、端末レベル情報のうちの少なくとも１つを含む、請求項２に記載の方法。
【請求項５】
前記方法は、
前記端末装置のサービス情報は前記端末装置のサービスが、第１条件を満たすサービスであることを示す場合、前記端末装置のために前記ターゲットシステムネットワーク又はターゲットコアネットワークとの候補接続を確立することを更に含む、請求項２に記載の方法。
【請求項６】
前記第１条件のサービスは低遅延サービスである、請求項５に記載の方法。
【請求項７】
前記方法は、
前記ネットワークスライス情報が第２条件を満たす場合、前記端末装置のためにターゲットシステムネットワーク又はターゲットコアネットワークとの候補接続を確立することを決定することを更に含む、請求項２に記載の方法。
【請求項８】
前記第２条件は、前記ネットワークスライスのタイプが低遅延、及び／又は、高信頼性タイプであることを示す、請求項７に記載の方法。
【請求項９】
前記方法は、
前記端末装置のモビリティ情報に基づいて前記端末装置が高モビリティのものであることを決定した場合、前記端末装置のためにターゲットシステムネットワーク又はターゲットコアネットワークとの候補接続を確立することを更に含む、請求項２に記載の方法。
【請求項１０】
前記ネットワーク装置が前記端末装置のためにターゲットシステムネットワーク又はターゲットコアネットワークとの候補接続を確立することは、
前記端末装置のために前記候補接続のうちの少なくとも一部の接続構成を確立することをターゲットシステムネットワーク又はターゲットコアネットワークに通知することを含む、請求項１に記載の方法。
【請求項１１】
前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む、請求項１０に記載の方法。
【請求項１２】
前記第１ネットワーク装置が前記端末装置のためにターゲットシステムネットワーク又はターゲットコアネットワークとの候補接続を確立した後、前記方法は、
前記候補接続の確立が成功したことを確認した後、候補接続の構成を端末に送信することを更に含む、請求項１に記載の方法。
【請求項１３】
前記第１ネットワーク装置が前記端末装置のためにターゲットシステムネットワーク又はターゲットコアネットワークとの候補接続を確立した後、前記方法は、
前記候補接続の確立が成功した場合、タイマーを起動することと、
前記タイマーの時間長が予め定められた閾値に達し、且つ前記端末装置が候補接続を介してターゲットシステムネットワーク又はターゲットコアネットワークとの接続を確立していない場合、前記候補接続を解放することと、を更に含む請求項１に記載の方法。
【請求項１４】
ターゲットシステムネットワーク又はターゲットコアネットワークにある第２ネットワーク装置に適用されるハンドオーバ処理方法であって、
第１システムネットワーク又は第１コアネットワークにある第１ネットワーク装置の制御に基づいて、端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される、ハンドオーバ処理方法。
【請求項１５】
前記端末装置のためにターゲットシステムネットワーク又はターゲットコアネットワークとの候補接続を確立することは、
前記端末装置のために前記候補接続のうちの少なくとも一部の接続構成を確立することを含む、請求項１４に記載の方法。
【請求項１６】
前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む、請求項１５に記載の方法。
【請求項１７】
前記端末装置のためにターゲットシステムネットワーク又はターゲットコアネットワークとの候補接続を確立した後、前記方法は、
前記候補接続の確立が成功した場合、タイマーを起動することと、
前記タイマーの時間長が予め定められた閾値に達し、且つ前記端末装置が候補接続を介してターゲットシステムネットワーク又はターゲットコアネットワークとの接続を確立していない場合、前記候補接続を解放することと、を更に含む請求項１４に記載の方法。
【請求項１８】
端末装置に適用されるハンドオーバ処理方法であって、
第１システムネットワーク又は第１コアネットワークにある第１ネットワーク装置と端末装置が接続されている場合、前記第１ネットワーク装置が前記端末装置のために確立した候補接続を取得することを含み、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される、ハンドオーバ処理方法。
【請求項１９】
前記ネットワーク装置が前記端末装置のために確立した候補接続を取得した後、前記方法は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立することを更に含む、請求項１８に記載の方法。
【請求項２０】
第１ネットワーク装置であって、
第１システムネットワーク又は第１コアネットワークにある第１ネットワーク装置と端末装置が接続されている場合、前記端末装置のためにターゲットシステムネットワーク又はターゲットコアネットワークとの候補接続を確立する第１処理ユニットを備え、
前記候補接続は、端末装置が予め定められた条件を満たす場合、ターゲットシステムネットワーク又はターゲットコアネットワークにハンドオーバするときに使用される、第１ネットワーク装置。
【請求項２１】
前記第１処理ユニットは、前記端末装置のリンク品質、前記端末装置の属性情報、前記端末装置のサービス情報、ネットワークスライス情報、前記端末装置のモビリティ情報のうちの少なくとも１つの条件に基づいて、前記端末装置のためにターゲットシステムネットワーク又はターゲットコアネットワークとの候補接続を確立するか否かを判定する、請求項２０に記載の第１ネットワーク装置。
【請求項２２】
前記第１処理ユニットは、前記端末装置のリンク品質が予め定められた閾値を満たすか否かを判定し、前記端末装置のリンク品質が予め定められた閾値を満たす場合、前記端末装置のためにターゲットシステムネットワーク又はターゲットコアネットワークとの候補接続を確立することを決定する、請求項２１に記載の第１ネットワーク装置。
【請求項２３】
前記第１処理ユニットは、前記端末装置の属性情報に基づいて、前記端末装置が候補接続を確立可能な端末装置であることを決定した場合、前記端末装置のために前記ターゲットシステムネットワーク又はターゲットコアネットワークとの候補接続を確立し、
前記端末装置の属性情報は、端末の優先度情報、端末タイプ情報、端末レベル情報のうちの少なくとも１つを含む、請求項２１に記載の第１ネットワーク装置。
【請求項２４】
前記第１処理ユニットは、前記端末装置のサービス情報が、前記端末装置のサービスが第１条件を満たすサービスであることを示す場合、前記端末装置のために前記ターゲットシステムネットワーク又はターゲットコアネットワークとの候補接続を確立する、請求項２１に記載の第１ネットワーク装置。
【請求項２５】
前記第１条件のサービスは低遅延サービスである、請求項２４に記載の第１ネットワーク装置。
【請求項２６】
前記第１処理ユニットは、前記ネットワークスライス情報が第２条件を満たす場合、前記端末装置のためにターゲットシステムネットワーク又はターゲットコアネットワークとの候補接続を確立することを決定する、請求項２１に記載の第１ネットワーク装置。
【請求項２７】
前記第２条件は、前記ネットワークスライスのタイプが低遅延、及び／又は、高信頼性タイプであることを示す、請求項２６に記載の第１ネットワーク装置。
【請求項２８】
前記第１処理ユニットは、前記端末装置のモビリティ情報に基づいて前記端末装置が高モビリティのものであることを決定した場合、前記端末装置のためにターゲットシステムネットワーク又はターゲットコアネットワークとの候補接続を確立する、請求項２１に記載の第１ネットワーク装置。
【請求項２９】
前記第１ネットワーク装置は、
前記端末装置のために前記候補接続のうちの少なくとも一部の接続構成を確立することをターゲットシステムネットワーク又はターゲットコアネットワークに通知する第１通信ユニットを更に備える、請求項２０に記載の第１ネットワーク装置。
【請求項３０】
前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む、請求項２９に記載の第１ネットワーク装置。
【請求項３１】
前記第１ネットワーク装置は、
前記候補接続の確立が成功したことを確認した後、候補接続の構成を端末に送信する第１通信ユニットを更に備える、請求項２０に記載の第１ネットワーク装置。
【請求項３２】
前記第１処理ユニットは、前記候補接続の確立が成功した場合、タイマーを起動し、前記タイマーの時間長が予め定められた閾値に達し、且つ前記端末装置が候補接続を介してターゲットシステムネットワーク又はターゲットコアネットワークとの接続を確立していない場合、前記候補接続を解放する、請求項２０に記載の第１ネットワーク装置。
【請求項３３】
ターゲットシステムネットワーク又はターゲットコアネットワークにある第２ネットワーク装置であって、
第１システムネットワーク又は第１コアネットワークにある第１ネットワーク装置の制御に基づいて、端末装置のためにターゲットシステムネットワーク又はターゲットコアネットワークとの候補接続を確立するように第２通信ユニットを制御し、前記候補接続は端末装置が予め定められた条件を満たす場合、ターゲットシステムネットワーク又はターゲットコアネットワークにハンドオーバするときに使用される第２処理ユニットと、
端末装置のためにターゲットシステムネットワーク又はターゲットコアネットワークとの候補接続を確立する前記第２通信ユニットと、を備える第２ネットワーク装置。
【請求項３４】
前記第２処理ユニットは、前記端末装置のために前記候補接続のうちの少なくとも一部の接続構成を確立する、請求項３３に記載の第２ネットワーク装置。
【請求項３５】
前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む、請求項３４に記載の第２ネットワーク装置。
【請求項３６】
前記第２処理ユニットは、前記候補接続の確立が成功した場合、タイマーを起動し、前記タイマーの時間長が予め定められた閾値に達し、且つ前記端末装置が候補接続を介してターゲットシステムネットワーク又はターゲットコアネットワークとの接続を確立していない場合、前記候補接続を解放するように第２通信ユニットを制御する、請求項３３に記載の第２ネットワーク装置。
【請求項３７】
端末装置であって、
第１システムネットワーク又は第１コアネットワークにある第１ネットワーク装置と端末装置が接続されている場合、前記ネットワーク装置が前記端末装置のために確立した候補接続を取得する第３通信ユニットを備え、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される、端末装置。
【請求項３８】
前記端末装置は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立するように第３通信ユニットを制御する第３処理ユニットを更に備え、
前記第３通信ユニットは、前記ターゲットシステムネットワーク又はターゲットコアネットワークとの接続を確立する、請求項３７に記載の端末装置。
【請求項３９】
ネットワーク装置であって、プロセッサと、プロセッサにおいて実行可能なコンピュータプログラムを記憶するためのメモリと、を備え、
前記プロセッサは前記コンピュータプログラムの実行に用いられるとき、請求項１〜１７のいずれか１項に記載の方法のステップを実行する、ネットワーク装置。
【請求項４０】
端末装置であって、プロセッサと、プロセッサにおいて実行可能なコンピュータプログラムを記憶するためのメモリと、を備え、
前記プロセッサは前記コンピュータプログラムの実行に用いられるとき、請求項１８又は１９に記載の方法のステップを実行する、端末装置。
【請求項４１】
コンピュータ記憶媒体であって、前記コンピュータ記憶媒体にはコンピュータ実行可能命令が記憶され、前記コンピュータ実行可能命令が実行されるとき、請求項１〜１９のいずれか１項に記載の方法のステップが実現される、コンピュータ記憶媒体。
【発明の詳細な説明】
【技術分野】
【０００１】
本発明は情報処理の技術分野に関し、特にハンドオーバ処理方法、ネットワーク装置、端末装置及びコンピュータ記憶媒体に関する。
【背景技術】
【０００２】
５Ｇ時代では、次世代のＮＧ−無線アクセスネットワーク（ＲＡＮ、Ｒａｄｉｏ  Ａｃｃｅｓｓ  Ｎｅｔｗｏｒｋ）は、ｇＮＢ及びｅＮＢが５ＧＣコアネットワークに同時に又は別々にアクセスするシーンを含み、ＮＲ基地局にとって、ＡＭＦ（アクセス及びモビリティ管理機能）に送信されるハンドオーバ要求（Ｈａｎｄｏｖｅｒ  Ｒｅｑｕｉｒｅ）のメッセージは同じであり、送信されたメッセージにおけるターゲット（Ｔａｒｇｅｔ）識別子（ＩＤ）がｅＮＢ  ＩＤであり、且つ該ｅＮＢが５ＧＣとＥＰＣの両方にアクセスする場合、ＡＭＦは現在ＲＡＴハンドオーバ（５ＧＣが変更されず、基地局アクセスがＮＲからｅＮＢに変更される）又はＳｙｓｔｅｍハンドオーバ（５ＧＣがＥＰＣに変更される）を実行するか否かを判定できない。
【０００３】
Ｎ２６インターフェースがある場合について、ＵＥが接続状態にある場合、ＮＧ−ＲＡＮは測定閾値に基づいてハンドオーバをトリガーするタイミングを決定し、ＵＥがアイドル状態にある場合、ＵＥはターゲットコアネットワークＭＭＥにＴＡＵ  Ｒｅｑｕｅｓｔを送信し、ＭＭＥは元のコアネットワークから関連するコンテキスト情報を取得して、ターゲットコアネットワークでの位置更新プロセスを完了する。Ｎ２６インターフェースがない場合について、ＵＥがネットワーク側から送信された「Ｎ２６なしのハンドオーバをサポートする」指示を識別できる場合、統合配置されたネットワーク要素は４ＧのＳＭコンテキストをマッピングして、セッションＩＰアドレスの一致性を実現し、ＵＥがネットワーク側から送信された「Ｎ２６なしのハンドオーバをサポートする」指示を識別しない場合、追跡領域更新要求（Ｔｒａｃｋｉｎｇ  Ａｒｅａ  Ｕｐｄａｔｅ  ｒｅｑｕｅｓｔ）を直接に行う。しかしながら、上記のハンドオーバ処理はどれもハンドオーバの適時性を確保することができない。
【発明の概要】
【発明が解決しようとする課題】
【０００４】
上記技術的課題を解決するために、本発明の実施例はハンドオーバ処理方法、ネットワーク装置、端末装置及びコンピュータ記憶媒体を提供する。
【課題を解決するための手段】
【０００５】
本発明の実施例は、第１ネットワーク装置に適用されるハンドオーバ処理方法を提供し、前記方法は、
第１システムネットワーク又は第１コアネットワークにある第１ネットワーク装置と端末装置が接続されている場合、前記第１ネットワーク装置が前記端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される。
【０００６】
本発明の実施例は、ターゲットシステムネットワーク又はターゲットコアネットワークにある第２ネットワーク装置に適用されるハンドオーバ処理方法を提供し、前記方法は、
第１システムネットワーク又は第１コアネットワークにある第１ネットワーク装置の制御に基づいて、端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される。
【０００７】
本発明の実施例は、端末装置に適用されるハンドオーバ処理方法を提供し、前記方法は、
第１システムネットワーク又は第１コアネットワークにある第１ネットワーク装置と端末装置が接続されている場合、前記第１ネットワーク装置が前記端末装置のために確立した候補接続を取得することを含み、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される。
【０００８】
本発明の実施例は第１ネットワーク装置を提供し、前記方法は、
第１システムネットワーク又は第１コアネットワークにある第１ネットワーク装置と端末装置が接続されている場合、前記端末装置のためにターゲットシステムネットワーク又はターゲットコアネットワークとの候補接続を確立する第１処理ユニットを備え、
前記候補接続は、端末装置が予め定められた条件を満たす場合、ターゲットシステムネットワーク又はターゲットコアネットワークにハンドオーバするときに使用される。
【０００９】
本発明の実施例は、ターゲットシステムネットワーク又はターゲットコアネットワークにある第２ネットワーク装置を提供し、前記第２ネットワーク装置は、
第１システムネットワーク又は第１コアネットワークにある第１ネットワーク装置の制御に基づいて、端末装置のためにターゲットシステムネットワーク又はターゲットコアネットワークとの候補接続を確立するように第２通信ユニットを制御し、前記候補接続は端末装置が予め定められた条件を満たす場合、ターゲットシステムネットワーク又はターゲットコアネットワークにハンドオーバするときに使用される第２処理ユニットと、
端末装置のためにターゲットシステムネットワーク又はターゲットコアネットワークとの候補接続を確立する前記第２通信ユニットと、を備える。
【００１０】
本発明の実施例は端末装置を提供し、前記端末装置は、
第１システムネットワーク又は第１コアネットワークにある第１ネットワーク装置と端末装置が接続されている場合、前記ネットワーク装置が前記端末装置のために確立した候補接続を取得する第３通信ユニットを備え、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される。
【００１１】
本発明の実施例に係るネットワーク装置は、プロセッサと、プロセッサにおいて実行可能なコンピュータプログラムを記憶するためのメモリと、を備え、
前記プロセッサは前記コンピュータプログラムの実行に用いられるとき、上記方法のステップを実行する。
【００１２】
本発明の実施例に係る端末装置は、プロセッサと、プロセッサにおいて実行可能なコンピュータプログラムを記憶するためのメモリと、を備え、
前記プロセッサは前記コンピュータプログラムの実行に用いられるとき、上記方法のステップを実行する。
【００１３】
本発明の実施例に係るコンピュータ記憶媒体にはコンピュータ実行可能命令が記憶され、前記コンピュータ実行可能命令が実行されるとき、上記方法のステップが実現される。
【００１４】
本発明の実施例の技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【図面の簡単な説明】
【００１５】
【図１】図１は本発明の実施例に係る接続処理の模式的なフローチャート１である。
【図２】図２は本発明の実施例に係る接続処理の模式的なフローチャート２である。
【図３】図３は本発明の実施例に係る接続処理の模式的なフローチャート３である。
【図４】図４は本発明の実施例に係るハンドオーバ処理方法の模式的なフローチャートである。
【図５】図５は本発明の実施例に係る第１ネットワーク装置の構成模式図である。
【図６】図６は本発明の実施例に係る第２ネットワーク装置の構成模式図である。
【図７】図７は本発明の実施例に係る端末装置の構成模式図である。
【図８】図８は本発明の実施例に係るハードウェアの模式的なアーキテクチャ図である。
【発明を実施するための形態】
【００１６】
本発明の実施例の特徴及び技術的内容をより詳細に理解できるために、以下、図面を参照して本発明の実施例の実現を詳細に説明し、添付図面は参照のためのものに過ぎず、本発明の実施例を限定するものではない。
【００１７】
実施例１
本発明の実施例は、第１ネットワーク装置に適用されるハンドオーバ処理方法を提供し、前記方法は、
第１システムネットワーク又は第１コアネットワークにある第１ネットワーク装置と端末装置が接続されている場合、前記第１ネットワーク装置が前記端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される。
【００１８】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【００１９】
まず、端末装置のために候補接続を確立するか否かについての判定条件を紹介する。
【００２０】
前記端末装置のリンク品質、前記端末装置の属性情報、前記端末装置のサービス情報、ネットワークスライス情報、前記端末装置のモビリティ情報のうちの少なくとも１つの条件に基づいて、前記端末装置のためにターゲットシステムネットワーク又はターゲットコアネットワークとの候補接続を確立するか否かを判定する。
【００２１】
具体的には、
条件１、前記端末装置のリンク品質に基づいて判定することについては具体的に、前記端末装置のリンク品質が予め定められた閾値を満たすか否かを判定し、前記端末装置のリンク品質が予め定められた閾値を満たす場合、前記端末装置のためにターゲットシステムネットワーク又はターゲットコアネットワークとの候補接続を確立することを決定する。
【００２２】
すなわち、第１ネットワーク装置は端末装置の閾値を設定する。端末のリンク品質が設定された閾値を満たす場合、端末は第１システムネットワークのアクセスネットワークに測定レポートを報告する。第１システムのアクセスネットワークは第１システムのコアネットワークにハンドオーバ準備要求を送信する。第１システムのコアネットワークはこの端末のためにターゲットシステムネットワーク又はターゲットコアネットワークのリンクを準備する。
【００２３】
条件２、前記端末装置の属性情報に基づいて、前記端末装置が候補接続を確立可能な端末装置であることを決定した場合、前記端末装置のために前記ターゲットシステムネットワーク又はターゲットコアネットワークとの候補接続を確立し、
前記端末装置の属性情報は、端末の優先度情報、端末タイプ情報、端末レベル情報のうちの少なくとも１つを含む。
【００２４】
すなわち、端末と第１システムネットワーク又は第１コアネットワークが接続されている場合、第１システムネットワーク又は第１コアネットワークは端末情報に基づいて、端末のためにターゲットシステムネットワーク又はターゲットコアネットワークのリンクを準備する。ネットワークは契約情報に基づいて端末情報を取得でき又は端末は端末情報を報告する。
【００２５】
理解できるように、属性情報に基づいて前記端末装置が候補接続を確立可能な端末装置であることを決定する具体的な処理では、端末の優先度情報が優先度閾値より高い場合、端末装置が候補接続を確立可能な端末装置であることを決定でき、又は、端末タイプが低遅延サービスを処理する端末である場合、端末が候補接続を確立可能な端末装置であることを決定できる。
【００２６】
また、端末レベルは端末の優先度に対応することができ、例えば、端末レベルにはレベル１〜１０があり、レベル１〜３が優先度１、４〜７が優先度２、８〜１０が優先度３に対応するようにしてもよく、更にレベルに対応する優先度に基づいて端末装置が候補接続を確立可能な端末装置であるか否かを決定することができる。なお、上記端末レベルは例示的なものに過ぎず、実際には他の設定形態があってもよく、本実施例では全て列挙しない。
【００２７】
条件３、前記端末装置のサービス情報は前記端末装置のサービスが第１条件を満たすサービスであることを示す場合、前記端末装置のために前記ターゲットシステムネットワーク又はターゲットコアネットワークとの候補接続を確立する。前記第１条件のサービスは低遅延サービスである。
【００２８】
サービス情報にはサービスのＱｏＳ情報等が含まれる。例えば、端末に低遅延要件のサービスがある場合、第１システムネットワーク又は第１コアネットワークは端末のためにターゲットシステムネットワーク又はターゲットコアネットワークのリンクを準備する。
【００２９】
条件４、前記ネットワークスライス情報が第２条件を満たす場合、前記端末装置のためにターゲットシステムネットワーク又はターゲットコアネットワークとの候補接続を確立することを決定する。
【００３０】
前記第２条件は、前記ネットワークスライスのタイプが低遅延、及び／又は、高信頼性タイプであることを示す。
【００３１】
例えば、ネットワークスライスのタイプが低遅延で高信頼性タイプである場合、第１システムネットワーク又は第１コアネットワークは端末のためにターゲットシステムネットワーク又はターゲットコアネットワークのリンクを準備する。
【００３２】
条件５、前記端末装置のモビリティ情報に基づいて前記端末装置が高モビリティのものであることを決定した場合、前記端末装置のためにターゲットシステムネットワーク又はターゲットコアネットワークとの候補接続を確立する。
【００３３】
第１システムネットワーク／コアネットワークは端末のモビリティ情報を取得し、端末が高モビリティ端末である場合、端末のためにターゲットシステムネットワーク又はターゲットコアネットワークのリンクを準備する。第１システムネットワーク／コアネットワークは端末又はアクセスネットワーク又は契約情報又は外部情報又は運用保守から端末のモビリティ情報を取得することができる。
【００３４】
なお、上記５つの条件は単に本実施例で例示されるいくつかの条件であり、実際にはより多くの条件があってもよく、全て列挙しない。また、上記５つの条件はそれぞれ組み合わせて使用されてもよく、具体的な組み合わせ方式も全て列挙しない。
【００３５】
前記ネットワーク装置が前記端末装置のためにターゲットシステムネットワーク又はターゲットコアネットワークとの候補接続を確立することは、前記端末装置のために前記候補接続のうちの少なくとも一部の接続構成を確立することをターゲットシステムネットワーク又はターゲットコアネットワークに通知することを含む。
【００３６】
具体的に、前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む。
【００３７】
すなわち、第１システムネットワーク／コアネットワーク装置は、端末のために接続構成の全部又は一部を準備することをターゲットネットワーク又はコアネットワーク装置に要求することができる。具体的に、上記３つの処理のうちの少なくとも１つを実行することである。
【００３８】
図１に示すように、ターゲットコアネットワークの内部ＰＤＵセッションを変更することについては、
（１）ＮＧのアクセスネットワークはコアネットワークＡＭＦにハンドオーバ要求を送信し、次に
（２ａ）ＡＭＦはコアネットワークの内部ＰＧＷ−Ｃ  ＳＭＦにＰＤＵセッション確立要求を送信し、該要求に応じてコアネットワークの内部ＰＤＵセッションを変更し、更に
（２ｂ）フィードバックされたセッション確立要求の応答情報を受信する。
【００３９】
図１に基づいて、図２に示すように、ターゲットコアネットワークのサービスゲートウェイとの接続を確立することについては具体的に、
（３）ＭＭＥはＡＭＦから送信されたリロケーション要求を受信し、次に
（４〜５）ＭＭＥはサービスゲートウェイ（ＳＧＷ）にセッション確立要求を送信し、ＳＧＷからフィードバックされたセッション確立応答を受信し、
これらの処理により、ターゲットコアネットワークとサービスゲートウェイとの接続を確立し、対応する接続構成を得る。
【００４０】
更に、図３に示すように、ターゲットコアネットワークとアクセスネットワークとの接続を確立することは、ＭＭＥとアクセスネットワークにおけるＥ−ＵＴＲＡＮとの接続を確立することであり、（６、７）におけるハンドオーバ要求及び確認された処理に応じて接続を確立し、対応する構成を得る。
【００４１】
なお、上記図１、２、３は例示的なものに過ぎず、上記説明に基づいて、前記端末装置のために前記候補接続のうちの少なくとも一部の接続構成を確立することは、
ターゲットコアネットワークにおけるネットワーク装置のうち、任意の２つのネットワーク装置間の接続を確立することを更に含んでもよい。
【００４２】
ターゲットコアネットワークにおけるネットワーク装置は、ＡＭＦ、ＭＭＥ、ＳＧＷ、Ｖ−ＳＭＦ、Ｖ−ＵＰＦ、ＰＧＷ−Ｃ−ＳＭＦ及びＰＧＷ−Ｃ−ＵＰＦを含んでもよい。これらの装置は上記図１、２、３に図示されないが、実際のコアネットワークに存在してもよく、再び図示して説明しない。
【００４３】
前記第１ネットワーク装置が前記端末装置のためにターゲットシステムネットワーク又はターゲットコアネットワークとの候補接続を確立した後、前記方法は、前記候補接続の確立が成功したことを確認した後、候補接続の構成を端末に送信することを更に含む。すなわち、第１システムネットワーク／コアネットワーク装置はターゲットリンクが準備されたことを確認した後、ターゲットネットワークの接続構成を端末に送信する。
【００４４】
最後に、本実施例に係る技術案は、接続タイミング処理を更に行うことができ、具体的に、図４に示すように、以下のステップ４０１〜ステップ４０３を含む。
【００４５】
ステップ４０１、第１システムネットワーク又は第１コアネットワークにある第１ネットワーク装置と端末装置が接続されている場合、前記第１ネットワーク装置は前記端末装置のためにターゲットシステムネットワーク又はターゲットコアネットワークとの候補接続を確立し、前記候補接続は、端末装置が予め定められた条件を満たす場合、ターゲットシステムネットワーク又はターゲットコアネットワークにハンドオーバするときに使用される。
【００４６】
ステップ４０２、前記候補接続の確立が成功した場合、タイマーを起動する。
【００４７】
ステップ４０３、前記タイマーの時間長が予め定められた閾値に達し、且つ前記端末装置が候補接続を介してターゲットシステムネットワーク又はターゲットコアネットワークとの接続を確立していない場合、前記候補接続を解放する。
【００４８】
すなわち、端末装置が一定時間内にターゲットネットワークにハンドオーバしていないため、候補接続を使用しない場合、ネットワーク側は該候補接続の構成リソースを常時に維持する必要がなく、一定時間後に該候補接続を解放することができる。タイマーの時間長に対応する予め定められた閾値は実際の状況に応じて設定でき、例えば、１０分間に設定してもよく、又は１時間に設定してもよく、本実施例では限定されない。
【００４９】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【００５０】
実施例２
本発明の実施例は、ターゲットシステムネットワーク又はターゲットコアネットワークにある第２ネットワーク装置に適用されるハンドオーバ処理方法を提供し、前記方法は、
第１システムネットワーク又は第１コアネットワークにある第１ネットワーク装置の制御に基づいて、端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される。
【００５１】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【００５２】
前記ネットワーク装置が前記端末装置のためにターゲットシステムネットワーク又はターゲットコアネットワークとの候補接続を確立することは、前記端末装置のために前記候補接続のうちの少なくとも一部の接続構成を確立することをターゲットシステムネットワーク又はターゲットコアネットワークに通知することを含む。
【００５３】
具体的に、前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む。
【００５４】
すなわち、第１システムネットワーク／コアネットワーク装置は、端末のために接続構成の全部又は一部を準備することをターゲットネットワーク又はコアネットワーク装置に要求することができる。具体的に、上記３つの処理のうちの少なくとも１つを実行することである。
【００５５】
図１に示すように、ターゲットコアネットワークの内部ＰＤＵセッションを変更することについては、
（１）ＮＧのアクセスネットワークはコアネットワークＡＭＦにハンドオーバ要求を送信し、次に
（２ａ）ＡＭＦはコアネットワークの内部ＰＧＷ−Ｃ  ＳＭＦにＰＤＵセッション確立要求を送信し、該要求に応じてコアネットワークの内部ＰＤＵセッションを変更し、更に
（２ｂ）フィードバックされたセッション確立要求の応答情報を受信する。
【００５６】
図１に基づいて、図２に示すように、ターゲットコアネットワークのサービスゲートウェイとの接続を確立することについては、具体的に、
（３）ＭＭＥはＡＭＦから送信されたリロケーション要求を受信し、次に
（４〜５）ＭＭＥはサービスゲートウェイ（ＳＧＷ）にセッション確立要求を送信し、ＳＧＷからフィードバックされたセッション確立応答を受信し、
これらの処理により、ターゲットコアネットワークとサービスゲートウェイとの接続を確立し、対応する接続構成を得る。
【００５７】
更に、図３に示すように、ターゲットコアネットワークとアクセスネットワークとの接続を確立することは、ＭＭＥとアクセスネットワークにおけるＥ−ＵＴＲＡＮとの接続を確立することであり、（６、７）におけるハンドオーバ要求及び確認された処理に応じて接続を確立し、対応する構成を得る。
【００５８】
なお、上記図１、２、３は例示的なものに過ぎず、上記説明に基づいて、前記端末装置のために前記候補接続のうちの少なくとも一部の接続構成を確立することは、
ターゲットコアネットワークにおけるネットワーク装置のうち、任意の２つのネットワーク装置間の接続を確立することを更に含んでもよい。
【００５９】
ターゲットコアネットワークにおけるネットワーク装置は、ＡＭＦ、ＭＭＥ、ＳＧＷ、Ｖ−ＳＭＦ、Ｖ−ＵＰＦ、ＰＧＷ−Ｃ−ＳＭＦ及びＰＧＷ−Ｃ−ＵＰＦを含んでもよい。これらの装置は上記図１、２、３に図示されないが、実際のコアネットワークに存在してもよく、再び図示して説明しない。
【００６０】
前記第１ネットワーク装置が前記端末装置のためにターゲットシステムネットワーク又はターゲットコアネットワークとの候補接続を確立した後、前記方法は、前記候補接続の確立が成功したことを確認した後、候補接続の構成を端末に送信することを更に含む。すなわち、第１システムネットワーク／コアネットワーク装置はターゲットリンクが準備されたことを確認した後、ターゲットネットワークの接続構成を端末に送信する。
【００６１】
最後に、本実施例に係る技術案は、接続タイミング処理を更に行うことができ、具体的に、前記候補接続の確立が成功した場合、タイマーを起動し、
前記タイマーの時間長が予め定められた閾値に達し、且つ前記端末装置が候補接続を介してターゲットシステムネットワーク又はターゲットコアネットワークとの接続を確立していない場合、前記候補接続を解放する。
【００６２】
すなわち、端末装置が一定時間内にターゲットネットワークにハンドオーバしていないため、候補接続を使用しない場合、ターゲットネットワーク側は該候補接続の構成リソースを常時に維持する必要がなく、一定時間後に該候補接続を解放することができる。タイマーの時間長に対応する予め定められた閾値は実際の状況に応じて設定でき、例えば、１０分間に設定してもよく、又は１時間に設定してもよく、本実施例では限定されない。
【００６３】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【００６４】
実施例３
本発明の実施例は、端末装置に適用されるハンドオーバ処理方法を提供し、前記方法は、
第１システムネットワーク又は第１コアネットワークにある第１ネットワーク装置と端末装置が接続されている場合、前記第１ネットワーク装置が前記端末装置のために確立した候補接続を取得することを含み、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される。
【００６５】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【００６６】
上記２つの実施例との区別について、前記ネットワーク装置が前記端末装置のために確立した候補接続を取得した後、本実施例に係る端末装置は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立することを更に含む。
【００６７】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【００６８】
実施例４
本発明の実施例は第１ネットワーク装置を提供し、図５に示すように、
第１システムネットワーク又は第１コアネットワークにある第１ネットワーク装置と端末装置が接続されている場合、前記端末装置のためにターゲットシステムネットワーク又はターゲットコアネットワークとの候補接続を確立する第１処理ユニット５１を備え、
前記候補接続は、端末装置が予め定められた条件を満たす場合、ターゲットシステムネットワーク又はターゲットコアネットワークにハンドオーバするときに使用される。
【００６９】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【００７０】
まず、端末装置のために候補接続を確立するか否かについての判定条件を紹介する。
【００７１】
前記端末装置のリンク品質、前記端末装置の属性情報、前記端末装置のサービス情報、ネットワークスライス情報、前記端末装置のモビリティ情報のうちの少なくとも１つの条件に基づいて、前記端末装置のためにターゲットシステムネットワーク又はターゲットコアネットワークとの候補接続を確立するか否かを判定する。
【００７２】
具体的に、
条件１、前記端末装置のリンク品質に基づいて判定することについて、具体的に、第１処理ユニット５１は、前記端末装置のリンク品質が予め定められた閾値を満たすか否かを判定し、前記端末装置のリンク品質が予め定められた閾値を満たす場合、前記端末装置のためにターゲットシステムネットワーク又はターゲットコアネットワークとの候補接続を確立することを決定する。
【００７３】
すなわち、第１ネットワーク装置は端末装置の閾値を設定する。端末のリンク品質が設定された閾値を満たす場合、端末は第１システムネットワークのアクセスネットワークに測定レポートを報告する。第１システムのアクセスネットワークは第１システムのコアネットワークにハンドオーバ準備要求を送信する。第１システムのコアネットワークはこの端末のためにターゲットシステムネットワーク又はターゲットコアネットワークのリンクを準備する。
【００７４】
条件２、第１処理ユニット５１は、前記端末装置の属性情報に基づいて、前記端末装置が候補接続を確立可能な端末装置であることを決定した場合、前記端末装置のために前記ターゲットシステムネットワーク又はターゲットコアネットワークとの候補接続を確立し、
前記端末装置の属性情報は、端末の優先度情報、端末タイプ情報、端末レベル情報のうちの少なくとも１つを含む。
【００７５】
すなわち、端末と第１システムネットワーク又は第１コアネットワークが接続されている場合、第１システムネットワーク又は第１コアネットワークは端末情報に基づいて、端末のためにターゲットシステムネットワーク又はターゲットコアネットワークのリンクを準備する。ネットワークは契約情報に基づいて端末情報を取得でき又は端末は端末情報を報告する。
【００７６】
理解できるように、属性情報に基づいて前記端末装置が候補接続を確立可能な端末装置であることを決定する具体的な処理では、端末の優先度情報が優先度閾値より高い場合、端末装置が候補接続を確立可能な端末装置であることを決定でき、又は、端末タイプが低遅延サービスを処理する端末である場合、端末が候補接続を確立可能な端末装置であることを決定できる。
【００７７】
また、端末レベルは端末の優先度に対応することができ、例えば、端末レベルにはレベル１〜１０があり、レベル１〜３が優先度１、４〜７が優先度２、８〜１０が優先度３に対応するようにしてもよく、更にレベルに対応する優先度に基づいて端末装置が候補接続を確立可能な端末装置であるか否かを判定することができる。なお、上記端末レベルは例示的なものに過ぎず、実際には他の設定形態があってもよく、本実施例では全て列挙しない。
【００７８】
条件３、第１処理ユニット５１は、前記端末装置のサービス情報が、前記端末装置のサービスが第１条件を満たすサービスであることを示す場合、前記端末装置のために前記ターゲットシステムネットワーク又はターゲットコアネットワークとの候補接続を確立する。前記第１条件のサービスは低遅延サービスである。
【００７９】
サービス情報にはサービスのＱｏＳ情報等が含まれてもよい。例えば、端末に低遅延要件のサービスがある場合、第１システムネットワーク又は第１コアネットワークは端末のためにターゲットシステムネットワーク又はターゲットコアネットワークのリンクを準備する。
【００８０】
条件４、第１処理ユニット５１は、前記ネットワークスライス情報が第２条件を満たす場合、前記端末装置のためにターゲットシステムネットワーク又はターゲットコアネットワークとの候補接続を確立することを決定する。
【００８１】
前記第２条件は、前記ネットワークスライスのタイプが低遅延、及び／又は、高信頼性タイプであることを示す。
【００８２】
例えば、ネットワークスライスのタイプが低遅延で高信頼性タイプである場合、第１システムネットワーク又は第１コアネットワークは端末のためにターゲットシステムネットワーク又はターゲットコアネットワークのリンクを準備する。
【００８３】
条件５、第１処理ユニット５１は、前記端末装置のモビリティ情報に基づいて前記端末装置が高モビリティのものであることを決定した場合、前記端末装置のためにターゲットシステムネットワーク又はターゲットコアネットワークとの候補接続を確立する。
【００８４】
第１システムネットワーク／コアネットワークは端末のモビリティ情報を取得し、端末が高モビリティ端末である場合、端末のためにターゲットシステムネットワーク又はターゲットコアネットワークのリンクを準備する。第１システムネットワーク／コアネットワークは端末又はアクセスネットワーク又は契約情報又は外部情報又は運用保守から端末のモビリティ情報を取得することができる。
【００８５】
なお、上記５つの条件は単に本実施例で例示されるいくつかの条件であり、実際にはより多くの条件があってもよく、全て列挙しない。また、上記５つの条件はそれぞれ組み合わせて使用されてもよく、具体的な組み合わせ方式も全て列挙しない。
【００８６】
前記第１ネットワーク装置は、
前記端末装置のために前記候補接続のうちの少なくとも一部の接続構成を確立することをターゲットシステムネットワーク又はターゲットコアネットワークに通知する第１通信ユニット５２を更に備える。
【００８７】
具体的に、前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む。
【００８８】
すなわち、第１システムネットワーク／コアネットワーク装置は、端末のために接続構成の全部又は一部を準備することをターゲットネットワーク又はコアネットワーク装置に要求することができる。具体的に、上記３つの処理のうちの少なくとも１つを実行することである。
【００８９】
図１に示すように、ターゲットコアネットワークの内部ＰＤＵセッションを変更することについては、
（１）ＮＧのアクセスネットワークはコアネットワークＡＭＦにハンドオーバ要求を送信し、次に
（２ａ）ＡＭＦはコアネットワークの内部ＰＧＷ−Ｃ  ＳＭＦにＰＤＵセッション確立要求を送信し、該要求に応じてコアネットワークの内部ＰＤＵセッションを変更し、更に
（２ｂ）フィードバックされたセッション確立要求の応答情報を受信する。
【００９０】
図１に基づいて、図２に示すように、ターゲットコアネットワークのサービスゲートウェイとの接続を確立することについては具体的に、
（３）ＭＭＥはＡＭＦから送信されたリロケーション要求を受信し、次に
（４〜５）ＭＭＥはサービスゲートウェイ（ＳＧＷ）にセッション確立要求を送信し、ＳＧＷからフィードバックされたセッション確立応答を受信し、
これらの処理により、ターゲットコアネットワークとサービスゲートウェイとの接続を確立し、対応する接続構成を得る。
【００９１】
更に、図３に示すように、ターゲットコアネットワークとアクセスネットワークとの接続を確立することは、ＭＭＥとアクセスネットワークにおけるＥ−ＵＴＲＡＮとの接続を確立することであり、（６、７）におけるハンドオーバ要求及び確認された処理に応じて接続を確立し、対応する構成を得る。
【００９２】
なお、上記図１、２、３は例示的なものに過ぎず、上記説明に基づいて、前記端末装置のために前記候補接続のうちの少なくとも一部の接続構成を確立することは、
ターゲットコアネットワークにおけるネットワーク装置のうち、任意の２つのネットワーク装置間の接続を確立することを更に含んでもよい。
【００９３】
ターゲットコアネットワークにおけるネットワーク装置は、ＡＭＦ、ＭＭＥ、ＳＧＷ、Ｖ−ＳＭＦ、Ｖ−ＵＰＦ、ＰＧＷ−Ｃ−ＳＭＦ及びＰＧＷ−Ｃ−ＵＰＦを含んでもよい。これらの装置は上記図１、２、３に図示されないが、実際のコアネットワークに存在してもよく、再び図示して説明しない。
【００９４】
前記第１ネットワーク装置が前記端末装置のためにターゲットシステムネットワーク又はターゲットコアネットワークとの候補接続を確立した後、前記方法は、前記第１ネットワーク装置は、
前記候補接続の確立が成功したことを確認した後、候補接続の構成を端末に送信する第１通信ユニット５２を更に備える。すなわち、第１システムネットワーク／コアネットワーク装置はターゲットリンクが準備されたことを確認した後、ターゲットネットワークの接続構成を端末に送信する。
【００９５】
前記第１処理ユニットは、前記候補接続の確立が成功した場合、タイマーを起動し、前記タイマーの時間長が予め定められた閾値に達し、且つ前記端末装置が候補接続を介してターゲットシステムネットワーク又はターゲットコアネットワークとの接続を確立していない場合、前記候補接続を解放する。
【００９６】
すなわち、端末装置が一定時間内にターゲットネットワークにハンドオーバしていないため、候補接続を使用しない場合、ネットワーク側は該候補接続の構成リソースを常時に維持する必要がなく、一定時間後に該候補接続を解放することができる。タイマーの時間長に対応する予め定められた閾値は実際の状況に応じて設定でき、例えば、１０分間に設定してもよく、又は１時間に設定してもよく、本実施例では限定されない。
【００９７】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【００９８】
実施例５
本発明の実施例は、ターゲットシステムネットワーク又はターゲットコアネットワークにある第２ネットワーク装置を提供し、図６に示すように、
第１システムネットワーク又は第１コアネットワークにある第１ネットワーク装置の制御に基づいて、端末装置のためにターゲットシステムネットワーク又はターゲットコアネットワークとの候補接続を確立するように第２通信ユニットを制御し、前記候補接続は端末装置が予め定められた条件を満たす場合、ターゲットシステムネットワーク又はターゲットコアネットワークにハンドオーバするときに使用される第２処理ユニット６１と、
端末装置のためにターゲットシステムネットワーク又はターゲットコアネットワークとの候補接続を確立する第２通信ユニット６２と、を備える。
【００９９】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【０１００】
前記ネットワーク装置が前記端末装置のためにターゲットシステムネットワーク又はターゲットコアネットワークとの候補接続を確立することは、前記端末装置のために前記候補接続のうちの少なくとも一部の接続構成を確立することをターゲットシステムネットワーク又はターゲットコアネットワークに通知することを含む。
【０１０１】
具体的に、前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む。
【０１０２】
すなわち、第１システムネットワーク／コアネットワーク装置は、端末のために接続構成の全部又は一部を準備することをターゲットネットワーク又はコアネットワーク装置に要求することができる。具体的に、上記３つの処理のうちの少なくとも１つを実行することである。
【０１０３】
図１に示すように、ターゲットコアネットワークの内部ＰＤＵセッションを変更することについては、
（１）ＮＧのアクセスネットワークはコアネットワークＡＭＦにハンドオーバ要求を送信し、次に
（２ａ）ＡＭＦはコアネットワークの内部ＰＧＷ−Ｃ  ＳＭＦにＰＤＵセッション確立要求を送信し、該要求に応じてコアネットワークの内部ＰＤＵセッションを変更し、更に
（２ｂ）フィードバックされたセッション確立要求の応答情報を受信する。
【０１０４】
図１に基づいて、図２に示すように、ターゲットコアネットワークのサービスゲートウェイとの接続を確立することについては具体的に、
（３）ＭＭＥはＡＭＦから送信されたリロケーション要求を受信し、次に
（４〜５）ＭＭＥはサービスゲートウェイ（ＳＧＷ）にセッション確立要求を送信し、ＳＧＷからフィードバックされたセッション確立応答を受信し、
これらの処理により、ターゲットコアネットワークとサービスゲートウェイとの接続を確立し、対応する接続構成を得る。
【０１０５】
更に、図３に示すように、ターゲットコアネットワークとアクセスネットワークとの接続を確立することは、ＭＭＥとアクセスネットワークにおけるＥ−ＵＴＲＡＮとの接続を確立することであり、（６、７）におけるハンドオーバ要求及び確認された処理に応じて接続を確立し、対応する構成を得る。
【０１０６】
なお、上記図１、２、３は例示的なものに過ぎず、上記説明に基づいて、前記端末装置のために前記候補接続のうちの少なくとも一部の接続構成を確立することは、
ターゲットコアネットワークにおけるネットワーク装置のうち、任意の２つのネットワーク装置間の接続を確立することを更に含んでもよい。
【０１０７】
ターゲットコアネットワークにおけるネットワーク装置は、ＡＭＦ、ＭＭＥ、ＳＧＷ、Ｖ−ＳＭＦ、Ｖ−ＵＰＦ、ＰＧＷ−Ｃ−ＳＭＦ及びＰＧＷ−Ｃ−ＵＰＦを含んでもよい。これらの装置は上記図１、２、３に図示されないが、実際のコアネットワークに存在してもよく、再び図示して説明しない。
【０１０８】
前記第２処理ユニットは、前記候補接続の確立が成功したことを確認した後、候補接続の構成を端末に送信する。すなわち、第１システムネットワーク／コアネットワーク装置はターゲットリンクが準備されたことを確認した後、ターゲットネットワークの接続構成を端末に送信する。
【０１０９】
最後に、本実施例に係る技術案は、接続タイミング処理を更に行うことができ、具体的に、前記第２処理ユニットは、前記候補接続の確立が成功した場合、タイマーを起動し、前記タイマーの時間長が予め定められた閾値に達し、且つ前記端末装置が候補接続を介してターゲットシステムネットワーク又はターゲットコアネットワークとの接続を確立していない場合、前記候補接続を解放するように第２通信ユニットを制御する。
【０１１０】
すなわち、端末装置が一定時間内にターゲットネットワークにハンドオーバしていないため、候補接続を使用しない場合、ターゲットネットワーク側は該候補接続の構成リソースを常時に維持する必要がなく、一定時間後に該候補接続を解放することができる。タイマーの時間長に対応する予め定められた閾値は実際の状況に応じて設定でき、例えば、１０分間に設定してもよく、又は１時間に設定してもよく、本実施例では限定されない。
【０１１１】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【０１１２】
実施例６
本発明の実施例は端末装置を提供し、図７に示すように、
第１システムネットワーク又は第１コアネットワークにある第１ネットワーク装置と端末装置が接続されている場合、前記ネットワーク装置が前記端末装置のために確立した候補接続を取得する第３通信ユニット７１を備え、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される。
【０１１３】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワーク装置が接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【０１１４】
上記２つの実施例との区別については、本実施例に係る端末装置は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立するように第３通信ユニットを制御する第３処理ユニット７２と、
前記ターゲットシステムネットワーク又はターゲットコアネットワークとの接続を確立する前記第３通信ユニット７１と、を更に備える。
【０１１５】
上記技術案によれば、端末装置のためにターゲットネットワークにおける候補接続を予め準備することができ、それにより、端末装置はターゲットシステムのカバレッジ範囲内に移動するとき、より迅速で容易にターゲットシステムネットワーク又はターゲットコアネットワークにハンドオーバすることができ、ハンドオーバ処理効率を向上させ、システム処理効率を向上させる。
【０１１６】
本発明の実施例は端末装置又はネットワーク装置のハードウェア構成アーキテクチャを更に提供し、図８に示すように、少なくとも１つのプロセッサ８１、メモリ８２、及び少なくとも１つのネットワークインターフェース８３を備える。各構成要素はバスシステム８４を介して一体に結合される。なお、バスシステム８４はこれらの構成要素間の接続通信を実現する。バスシステム８４はデータバスの他に、電源バス、制御バス及び状態信号バスを更に含む。しかし、明瞭に説明するために、図８において様々なバスはバスシステム８４としてマークされている。
【０１１７】
なお、本発明の実施例のメモリ８２は揮発性メモリ又は不揮発性メモリであってもよく、又は揮発性メモリと不揮発性メモリの両方を含んでもよい。
【０１１８】
いくつかの実施形態では、メモリ８２には、実行可能なモジュール又はデータ構造、又はそれらのサブセット、又はそれらの拡張セットであるオペレーティングシステム８２１及びアプリケーションプログラム８２２が含まれる。
【０１１９】
前記プロセッサ８１は、上記実施例１〜３のいずれかに記載の方法のステップを処理できるように構成され、ここで繰り返して説明しない。
【０１２０】
本発明の実施例に係るコンピュータ記憶媒体には、コンピュータ実行可能命令が記憶され、前記コンピュータ実行可能命令が実行されるとき、上記実施例１〜３のいずれかに記載の方法のステップが実行される。
【０１２１】
本発明の実施例の上記装置はソフトウェア機能モジュールの形態で実現され、独立した製品として販売又は使用される場合、１つのコンピュータ可読記憶媒体に記憶されてもよい。このような理解に基づいて、本発明の実施例の技術案又は従来技術に寄与する部分はソフトウェア製品の形態で実施することができ、該コンピュータソフトウェア製品は１つの記憶媒体に記憶され、１台のコンピュータ装置（パーソナルコンピュータ、サーバ、又はネットワーク装置等であってもよい）に本発明の各実施例に記載の方法の全部又は一部を実行させるための複数の命令を含む。上記記憶媒体は、Ｕディスク、モバイルハードディスク、読み出し専用メモリ（ＲＯＭ、Ｒｅａｄ  Ｏｎｌｙ  Ｍｅｍｏｒｙ）、磁気ディスク又は光ディスク等のプロクラムコードを記憶可能な様々な媒体を含む。このように、本発明の実施例は任意の特定のハードウェアとソフトウェアの組み合わせに限定されない。
【０１２２】
それに対応して、本発明の実施例はコンピュータ記憶媒体を更に提供し、本発明の実施例のデータスケジューリング方法を実行するように構成されるコンピュータプログラムが記憶されている。
【０１２３】
本発明の好適な実施例が例示の目的で開示されたが、当業者は様々な改良、追加及び置換が可能であることを理解でき、従って、本発明の範囲は上記実施例に限定されるべきではない。
【図１】
2021516468.tif 000003
【図２】
2021516468.tif 000004
【図３】
2021516468.tif 000005
【図４】
2021516468.tif 000006
【図５】
2021516468.tif 000007
【図６】
2021516468.tif 000008
【図７】
2021516468.tif 000009
【図８】
2021516468.tif 000010
【手続補正書】
【提出日】令和3年1月5日(2021.1.5)
【手続補正１】
【補正対象書類名】明細書
【補正対象項目名】０００８
【補正方法】変更
【補正の内容】
【０００８】
本発明の実施例は第１ネットワーク装置を提供し、前記第１ネットワーク装置は、
第１システムネットワーク又は第１コアネットワークにある第１ネットワーク装置と端末装置が接続されている場合、前記端末装置のためにターゲットシステムネットワーク又はターゲットコアネットワークとの候補接続を確立する第１処理ユニットを備え、
前記候補接続は、端末装置が予め定められた条件を満たす場合、ターゲットシステムネットワーク又はターゲットコアネットワークにハンドオーバするときに使用される。
【手続補正２】
【補正対象書類名】明細書
【補正対象項目名】００１８
【補正方法】変更
【補正の内容】
【００１８】
上記技術案によれば、端末装置がターゲットシステムネットワーク又はターゲットコアネットワークにハンドオーバしていないとき、端末装置のためにターゲットシステムネットワーク又はターゲットコアネットワークとの候補接続を予め確立することができる。端末と第１システムネットワーク又は第１コアネットワークが接続されている場合、第１システムネットワーク／コアネットワークは端末のためにターゲットシステムネットワーク／コアネットワーク装置との接続を確立し、それにより、端末は特定の条件下でターゲットシステムネットワーク／コアネットワークにハンドオーバする。
【手続補正３】
【補正対象書類名】明細書
【補正対象項目名】００６６
【補正方法】変更
【補正の内容】
【００６６】
上記２つの実施例との区別について、前記ネットワーク装置が前記端末装置のために確立した候補接続を取得した後、本実施例に係る方法は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立することを更に含む。
【手続補正４】
【補正対象書類名】明細書
【補正対象項目名】００９４
【補正方法】変更
【補正の内容】
【００９４】
前記第１ネットワーク装置が前記端末装置のためにターゲットシステムネットワーク又はターゲットコアネットワークとの候補接続を確立した後、前記第１ネットワーク装置は、
前記候補接続の確立が成功したことを確認した後、候補接続の構成を端末に送信する第１通信ユニット５２を更に備える。すなわち、第１システムネットワーク／コアネットワーク装置はターゲットリンクが準備されたことを確認した後、ターゲットネットワークの接続構成を端末に送信する。
【手続補正５】
【補正対象書類名】特許請求の範囲
【補正対象項目名】全文
【補正方法】変更
【補正の内容】
【特許請求の範囲】
【請求項１】
ターゲットシステムネットワーク又はターゲットコアネットワークにある第２ネットワーク装置に適用されるハンドオーバ処理方法であって、
第１システムネットワーク又は第１コアネットワークにある第１ネットワーク装置の制御に基づいて、端末装置のためにターゲットシステムネットワーク又はターゲットコアネットワークとの候補接続を確立することを含み、
前記候補接続は、端末装置が予め定められた条件を満たす場合、ターゲットシステムネットワーク又はターゲットコアネットワークにハンドオーバするときに使用される、ハンドオーバ処理方法。
【請求項２】
前記端末装置のためにターゲットシステムネットワーク又はターゲットコアネットワークとの候補接続を確立することは、
前記端末装置のために前記候補接続のうちの少なくとも一部の接続構成を確立することを含む、請求項１に記載の方法。
【請求項３】
前記端末装置のために前記候補接続のうちの少なくとも一部の接続構成を確立することは、
ターゲットコアネットワークの内部ＰＤＵセッションを変更すること、
ターゲットコアネットワークのサービスゲートウェイとの接続を確立すること、
ターゲットコアネットワークとアクセスネットワークとの接続を確立すること、のうちの少なくとも１つを含む、請求項２に記載の方法。
【請求項４】
前記端末装置のためにターゲットシステムネットワーク又はターゲットコアネットワークとの候補接続を確立した後、前記方法は、
前記候補接続の確立が成功した場合、タイマーを起動することと、
前記タイマーの時間長が予め定められた閾値に達し、且つ前記端末装置が候補接続を介してターゲットシステムネットワーク又はターゲットコアネットワークとの接続を確立していない場合、前記候補接続を解放することと、を更に含む請求項１に記載の方法。
【請求項５】
第１ネットワーク装置であって、
第１システムネットワーク又は第１コアネットワークにある第１ネットワーク装置と端末装置が接続されている場合、前記端末装置のためにターゲットシステムネットワーク又はターゲットコアネットワークとの候補接続を確立する第１処理ユニットを備え、
前記候補接続は、端末装置が予め定められた条件を満たす場合、ターゲットシステムネットワーク又はターゲットコアネットワークにハンドオーバするときに使用される、第１ネットワーク装置。
【請求項６】
前記第１処理ユニットは、前記端末装置のリンク品質、前記端末装置の属性情報、前記端末装置のサービス情報、ネットワークスライス情報、前記端末装置のモビリティ情報のうちの少なくとも１つの条件に基づいて、前記端末装置のためにターゲットシステムネットワーク又はターゲットコアネットワークとの候補接続を確立するか否かを判定する、請求項５に記載の第１ネットワーク装置。
【請求項７】
前記第１処理ユニットは、前記端末装置のリンク品質が予め定められた閾値を満たすか否かを判定し、前記端末装置のリンク品質が予め定められた閾値を満たす場合、前記端末装置のためにターゲットシステムネットワーク又はターゲットコアネットワークとの候補接続を確立することを決定する、請求項６に記載の第１ネットワーク装置。
【請求項８】
前記第１処理ユニットは、前記端末装置の属性情報に基づいて、前記端末装置が候補接続を確立可能な端末装置であることを決定した場合、前記端末装置のために前記ターゲットシステムネットワーク又はターゲットコアネットワークとの候補接続を確立し、
前記端末装置の属性情報は、端末の優先度情報、端末タイプ情報、端末レベル情報のうちの少なくとも１つを含む、請求項６に記載の第１ネットワーク装置。
【請求項９】
前記第１処理ユニットは、前記端末装置のサービス情報が、前記端末装置のサービスが第１条件を満たすサービスであることを示す場合、前記端末装置のために前記ターゲットシステムネットワーク又はターゲットコアネットワークとの候補接続を確立する、請求項６に記載の第１ネットワーク装置。
【請求項１０】
前記第１条件のサービスは低遅延サービスである、請求項９に記載の第１ネットワーク装置。
【請求項１１】
前記第１処理ユニットは、前記ネットワークスライス情報が第２条件を満たす場合、前記端末装置のためにターゲットシステムネットワーク又はターゲットコアネットワークとの候補接続を確立することを決定する、請求項６に記載の第１ネットワーク装置。
【請求項１２】
前記第２条件は、前記ネットワークスライスのタイプが低遅延、及び／又は、高信頼性タイプであることを示す、請求項１１に記載の第１ネットワーク装置。
【請求項１３】
前記第１処理ユニットは、前記端末装置のモビリティ情報に基づいて前記端末装置が高モビリティのものであることを決定した場合、前記端末装置のためにターゲットシステムネットワーク又はターゲットコアネットワークとの候補接続を確立する、請求項６に記載の第１ネットワーク装置。
【請求項１４】
端末装置であって、
第１システムネットワーク又は第１コアネットワークにある第１ネットワーク装置と端末装置が接続されている場合、前記第１ネットワーク装置が前記端末装置のために確立した候補接続を取得する第３通信ユニットを備え、
前記候補接続は、前記第１ネットワーク装置が前記端末装置のためにターゲットシステムネットワーク又はターゲットコアネットワークと確立した接続であり、前記候補接続は、端末装置が予め定められた条件を満たす場合、ターゲットシステムネットワーク又はターゲットコアネットワークにハンドオーバするときに使用される、端末装置。
【請求項１５】
前記端末装置は、
前記端末装置が前記ターゲットシステムネットワーク又はターゲットコアネットワークのカバレッジ範囲内に入る場合、前記候補接続に対応するネットワーク接続構成に基づいて、前記ターゲットシステムネットワーク又はターゲットコアネットワークとの接続を確立するように第３通信ユニットを制御する第３処理ユニットを更に備え、
前記第３通信ユニットは、前記ターゲットシステムネットワーク又はターゲットコアネットワークとの接続を確立する、請求項１４に記載の端末装置。
【請求項１６】
コンピュータ記憶媒体であって、前記コンピュータ記憶媒体にはコンピュータ実行可能命令が記憶され、前記コンピュータ実行可能命令が実行されるとき、請求項１〜４のいずれか１項に記載の方法のステップが実現される、コンピュータ記憶媒体。
【国際調査報告】
2021516468.tif 000011
2021516468.tif 000012
2021516468.tif 000013
2021516468.tif 000014